(57)【要約】【課題】ディスク駆動装置の美観性を損なうことなく、ディスク駆動装置に容易にパネルを着脱すること。【解決手段】前面側に装着される前面パネル５および係合解除治具５０を用いて解除される解除部とを備え、ディスクを駆動してそこに格納された情報を読み出し可能なディスク駆動装置１であって、ディスク駆動装置１本体の前方に取り付けられる開口部１７ｇを有する前面フレーム１６から前方に突出するように設けられた係合手段３０ａ，３０ｂと、前面フレーム５の前方に装着されるディスク挿入孔５ａを有する前面パネル５に、係合手段３０ａ，３０ｂがそれぞれ係脱可能となるように設けられた被係合手段２０ａ，２０ｂと、係合手段３０ａが被係合手段２０ａから外れる方向に移動すると、係合手段３０ｂを被係合手段２０ｂから外れるように移動させるアーム部材３２ａ，３２ｂと、を有する。【選択図】  図１０
2007128612.tif 000002
【特許請求の範囲】
【請求項１】
前面側に装着される前面パネルおよび係合解除治具を用いて解除される解除部とを備え、ディスクを駆動してそこに格納された情報を読み出し可能なディスク駆動装置であって、
上記ディスク駆動装置本体の前方に取り付けられる第１のディスク口を有する前面フレームから前方に突出するように設けられた第１の係合手段および第２の係合手段と、
上記前面フレームの前方に装着される第２のディスク口を有する前面パネルに、上記第１の係合手段および上記第２の係合手段がそれぞれ係脱可能となるように設けられた第１の被係合手段および第２の被係合手段と、
上記第１の係合手段が上記第１の被係合手段から外れる方向に移動すると、上記第２の係合手段を上記第２の被係合手段から外れるように移動させるアーム部材と、
を有することを特徴とするディスク駆動装置。
【請求項２】
前記アーム部材は、その一端が前記第１の係合手段と接触し、かつ、その他端が前記第２の係合手段と接触するように、前記前面フレームに回動可能に取り付けられていることを特徴とする請求項１記載のディスク駆動装置。
【請求項３】
前記第１の被係合手段および前記第２の被係合手段は、それぞれ当該第１の被係合手段および第２の被係合手段から突出するように形成された第１の係合片および第２の係合片を有すると共に、前記前面パネルに当該第１の係合片および第２の係合片が互いに逆方向に位置するように取り付けられていることを特徴とする請求項１または２記載のディスク駆動装置。
【請求項４】
前記第１の係合手段が前記係合解除治具によって押圧されると、当該第１の係合手段は前記第２の係合片の突出方向に向かって移動し、それに伴い前記アーム部材が回動することで、前記第２の係合手段が前記第２の係合片の突出方向に向かって移動することを特徴とする請求項３記載のディスク駆動装置。
【請求項５】
前記係合解除治具は、
前記第２のディスク口から挿入される挿入部と、
上記挿入部から外方かつ前記第１の係合手段の存在する方向に向かって突出し、前記第１の係合手段を押圧する突出部材と、
を有することを特徴とする請求項４記載のディスク駆動装置。
【請求項６】
前記第１の係合手段および前記第２の係合手段は、前記前面フレームに回動可能に軸支され、付勢ばねによってその軸の周方向に付勢力を受けていることを特徴とする請求項１から５のいずれか１項記載のディスク駆動装置。
【請求項７】
前記前面パネルを前記前面フレームに装着すると、前記第１の係合手段および前記第２の係合手段は、それぞれ前記第１の被係合手段および前記第２の被係合手段に摺接すると共に、前記付勢ばねの付勢力に抗して回動することを特徴とする請求項６記載のディスク駆動装置。
【請求項８】
前記第１の被係合手段および前記第２の被係合手段は、それぞれ当該第１の被係合手段および第２の被係合手段から突出するように形成された第１の係合片および第２の係合片を有し、
前記第１の係合手段および前記第２の係合手段は、先端にそれぞれ第１の係合部および第２の係合部を有し、当該第１の係合部および第２の係合部は、前記付勢ばねの付勢力を利用して前記第１の係合片および前記第２の係合片にそれぞれ係合することを特徴とする請求項７記載のディスク駆動装置。
【請求項９】
前記第１の被係合手段と前記第２の被係合手段は、それぞれ前記前面パネルにおいて左右対称となる位置に対をなして２つずつ設けられると共に、前記第１の係合手段と前記第２の係合手段は、前記前面フレームにおいて前記第１の被係合手段および前記第２の被係合手段と係合可能な位置に対をなしてそれぞれ２つずつ設けられていることを特徴とする請求項１から８のいずれか１項記載のディスク駆動装置。
【発明の詳細な説明】
【技術分野】
【０００１】
本発明は、前面パネルを備え、ディスクを駆動して、そこに格納された情報を読み出し可能なディスク駆動装置に関する。
【背景技術】
【０００２】
従来から、パネルや筐体等の機器や装置等の表面を覆う保護部材を当該機器や装置等の本体に着脱する方法として、ネジやビス若しくは継手を用いる方法、あるいは本体側と保護部材との間に互いに係合可能な機構を設けると共に、着脱専用の治具を用いて両部材を着脱する方法が知られている。
【０００３】
特許文献１には、車載用音響機器の正面パネルに設けられた挿入穴に治具を挿入して、揺動部材を押圧することにより、当該揺動部材を本体側に設けられた係合レバーと係脱させて正面パネルを機器本体から着脱する着脱機構が開示されている。また、特許文献２には、継手本体に設けられた管差込み部に差し込まれた管を切断した後、解除治具を当該継手本体に嵌合することで、再度、継手本体を管と係合可能な解除状態とすることが可能な継手が開示されている。
【０００４】
【特許文献１】特開平７−２５７２８７号公報（要約書）
【特許文献２】特開２００３−２４０１５８号公報（要約書）
【発明の開示】
【発明が解決しようとする課題】
【０００５】
近年、車載用音響機器には、臨場感あふれる音響効果を得ることのみならず、視覚的に外観を楽しむことができるような美観性も要求されている。しかしながら、特許文献１に開示されている着脱機構では、正面パネルに治具を挿入するための挿入穴が設けられているため、美観性を損ないやすい。また、挿入穴をパッキン等の部材で覆って美観性を確保する手段も考えられるが、当該手段を用いた場合、デザインの設計の幅が狭くなると共に、正面パネルを着脱するための工数が増加してしまう。特許文献２に記載されている継手を、ディスク駆動装置に用いた場合においても、特許文献１に開示されている着脱機構の場合と同様、美観性を損ないやすく、かつ着脱工数が増加してしまうといった問題がある。
【０００６】
本発明は上記の事情にもとづきなされたもので、その目的とするところは、美観性を損なうことなく、容易にパネルを着脱することが可能なディスク駆動装置を提供しようとするものである。
【課題を解決するための手段】
【０００７】
上記課題を解決するために、本発明は、前面側に装着される前面パネルおよび係合解除治具を用いて解除される解除部とを備え、ディスクを駆動してそこに格納された情報を読み出し可能なディスク駆動装置であって、ディスク駆動装置本体の前方に取り付けられる第１のディスク口を有する前面フレームから前方に突出するように設けられた第１の係合手段および第２の係合手段と、前面フレームの前方に装着される第２のディスク口を有する前面パネルに、第１の係合手段および第２の係合手段がそれぞれ係脱可能となるように設けられた第１の被係合手段および第２の被係合手段と、第１の係合手段が第１の被係合手段から外れる方向に移動すると、第２の係合手段を第２の被係合手段から外れるように移動させるアーム部材と、を有するものである。
【０００８】
また、他の発明は、上述の発明に加えて更に、アーム部材は、その一端が第１の係合手段と接触し、かつ、その他端が第２の係合手段と接触するように、前面フレームに回動可能に取り付けられているものである。
【０００９】
さらに、他の発明は、上述の発明に加えて更に、第１の被係合手段および第２の被係合手段は、それぞれ当該第１の被係合手段および第２の被係合手段から突出するように形成された第１の係合片および第２の係合片を有すると共に、前面パネルに当該第１の係合片および第２の係合片が互いに逆方向に位置するように取り付けられているものである。
【００１０】
また、他の発明は、上述の発明に加えて更に、第１の係合手段が係合解除治具によって押圧されると、当該第１の係合手段は第２の係合片の突出方向に向かって移動し、それに伴いアーム部材が回動することで、第２の係合手段が第２の係合片の突出方向に向かって移動するものである。
【００１１】
また、他の発明は、上述の発明に加えて更に、係合解除治具は、第２のディスク口から挿入される挿入部と、挿入部から外方かつ第１の係合手段の存在する方向に向かって突出し、第１の係号手段を押圧する突出部材と、を有するものである。
【００１２】
さらに、他の発明は、上述の発明に加えて更に、第１の係合手段および第２の係合手段は、前面フレームに回動可能に軸支され、付勢ばねによってその軸の周方向に付勢力を受けているものである。
【００１３】
さらに、他の発明は、上述の発明に加えて更に、前面パネルを前面フレームに装着すると、第１の係合手段および第２の係合手段は、それぞれ第１の被係合手段および第２の被係合手段に摺接すると共に、付勢ばねの付勢力に抗して回動するものである。
【００１４】
また、他の発明は、上述の発明に加えて更に、第１の被係合手段および第２の被係合手段は、それぞれ当該第１の被係合手段および第２の被係合手段から突出するように形成された第１の係合片および第２の係合片を有し、第１の係合手段および第２の係合手段は、先端にそれぞれ第１の係合部および第２の係合部を有し、当該第１の係合部および第２の係合部は、付勢ばねの付勢力を利用して第１の係合片および第２の係合片にそれぞれ係合するものである。
【００１５】
さらに、他の発明は、上述の発明に加えて更に、第１の被係合手段と第２の被係合手段は、それぞれ前面パネルにおいて左右対称となる位置に対をなして２つずつ設けられると共に、第１の係合手段と第２の係合手段は、前面フレームにおいて第１の被係合手段および第２の被係合手段と係合可能な位置に対をなしてそれぞれ２つずつ設けられているものである。
【発明の効果】
【００１６】
本発明によると、ディスク駆動装置の美観性を損なうことなく、ディスク駆動装置に容易にパネルを着脱することができる。
【発明を実施するための最良の形態】
【００１７】
以下、本発明の一実施の形態に係るディスク駆動装置１のパネル着脱機構について、図面を参照しながら説明する。
【００１８】
図１は、本発明の一実施の形態に係るディスク駆動装置１を示す斜視図である。図２は、図１に示すディスク駆動装置１において地図ディスク２の交換時の状態（前面パネル５を取り外し、取付金具体１０前面下方に回動させた状態）を示す斜視図である。なお、以下の説明では、図１に示すように、矢示Ｘ１が指す方向を前面側、矢示Ｘ２が指す方向を後面側、矢示Ｙ１が指す方向を左側および矢示Ｙ２が指す方向を右側というものとする。また、矢示Ｚが指す方向を上方という。さらに、Ｘ軸とＹ軸とから形成される平面をＸＹ平面、Ｙ軸とＺ軸とから形成される平面をＹＺ平面、Ｚ軸とＸ軸とから形成される平面をＺＸ平面とする。
【００１９】
ディスク駆動装置１は、ＣＤ、ＭＤ、ＤＶＤ等の光記録媒体であるディスクに記録された情報を再生する装置である。この実施の形態では、ディスク駆動装置１は、地図データを格納した地図ディスク２(図２参照)の再生を実行するカーナビゲーション機能と、音楽データを格納した音楽ディスク３（図１参照）の再生を実行する音響再生機能とを備えている。また、ディスク駆動装置１は、図１および図２に示すように、直方体の箱状をした筐体４と、前面パネル５と、地図ディスク２を駆動して地図データの再生を実行する地図ディスク駆動機構６と、音楽ディスク３を駆動して音楽データの再生を実行する音楽ディスク駆動機構７とを備えている。
【００２０】
前面パネル５は、図１に示すように、通常、筐体４の前面側に固定されている。また、前面パネル５の後面側には、地図ディスク２に記録された地図データを表示する表示装置としての液晶ディスプレイ９（以下、単に、「ディスプレイ９」と表記）が、前面パネル５の前面側から視認できる状態で配設されている。さらに、ディスプレイ９は、筐体４の前面側に取り付けられた取付金具体１０の前面側に固定されている。この取付金具体１０は、前面パネル５を筐体４の前面側から取り外した状態で、下端側を中心に前面側に回動して、前面側に倒れるようになっている。すなわち、取付金具体１０は、筐体４の前面側に対して開閉可能に構成されている。
【００２１】
地図ディスク駆動機構６は、図２に示すように、地図ディスク２の挿入および排出を行うためのディスク挿入孔６ａを備えている。同様に、音楽ディスク装置機構７は、音楽ディスク３の挿入および排出を行うためのディスク挿入孔７ａを備えている。また、地図ディスク駆動機構６と音楽ディスク駆動機構７は、図２に示すように、地図ディスク駆動機構６が音楽ディスク駆動機構７の下方に位置するように筐体４の内部に収納されている。
【００２２】
取付金具体１０は、地図ディスク駆動機構６の前面側に配設されているため、取付金具体１０が閉じた状態では、前面側からディスク挿入孔６ａを視認できない。一方、ディスク挿入孔７ａは、取付金具体１０が閉じた状態でも、前面側から視認できる。また、前面パネル５には、音楽ディスク駆動機構７に対して音楽ディスク３の挿入および排出を行うためのディスク挿入孔５ａが形成されている。さらに、前面パネル５は、後述する筐体４の前面に固定された前面フレーム１６に取り付けられるため、前面パネル５が筐体４の前面側に取り付けられた状態では、音楽ディスク３の交換はできるが、地図ディスク２の交換はできない(図１参照)。そのため、地図ディスク２を交換するためには、前面パネル５を前面フレーム１６から取り外し、取付金具体１０を前面に倒した状態としなければならない(図２参照)。また、図１に示すように、前面パネル５には、ディスク駆動装置１の所定の操作を行うための操作部材１４が配設されている。
【００２３】
図３は、図１に示すディスク駆動装置１の前面パネル５の構成をその裏側から見た斜視図である。図４は、図１に示すディスク駆動装置１の前面フレーム１６の前面パネル５を除く前面側の主要機構をその裏側から見た斜視図である。図５は、本体シャーシ４０および前面フレーム１６の構成を示す斜視図である。図６は、係合手段３０ａと被係合手段２０ａとの係合関係を示す斜視図であり、（Ａ）は係合前の状態示す図であり、（Ｂ）は係合後の状態を示す図である。図７は、図４に示す係合手段３０ａ，３０ｂとその周辺の構成を示す断面図である。
【００２４】
まず、前面パネル５の構成について説明する。
【００２５】
図３に示すように、前面パネル５は、パネル部材１８と、後述する係合部３０ａ，３０ｂと係合するそれぞれ２つずつの被係合部２０ａ，２０ｂと、操作部材１４と電気的に接続されるスイッチ基板２２と、を有している。また、ディスク挿入孔５ａの後面側には、遮光部材としての役割を果たす不図示の目隠し板と、ディスク３を案内するための不図示のガイド部材が配置されている。さらに、スイッチ基板２２とパネル本体との間には、前面側から後面側に向かって順に操作部材１４、不図示の採光板が配置されている。
【００２６】
パネル部材１８は、図３に示すように、ＹＺ平面と平行に形成された平板状の平板部１８ａと、平板部１８ａの外周縁から、平板部１８ａに対して垂直方向かつ後面側に向かって形成された４つの側面部１８ｃとを備え、略箱状に形成されている。平板部１８ａには、上述したディスク挿入孔５ａと、ディスプレイ９を前面側から視認することを可能にする開口部１８ｄと、操作部材１４用に形成された複数の不図示の開口部と、合計４つの被係合手段２０ａ，２０ａ，２０ｂ，２０ｂがそれぞれ取り付けられるボス部１８ｅ，１８ｅ，１８ｆ，１８ｆと、が主に形成されている。
【００２７】
ディスク挿入孔５ａは、図３に示すように、左右方向を長手方向とする扁平な細長状の開口部分であり、平板部１８ａの上方側で、かつ、左右方向の略中央に形成されている。ディスプレイ９用の開口部１８ｄは、略長方形の形状を有しており、ディスク挿入孔５ａの下方に形成されている。開口部１８ｄの左右方向の幅は、ディスク挿入孔５ａの左右方向の幅よりやや大きい。具体的には、ディスク挿入孔５ａの左右方向の幅は、平板部１８ａの左右方向の幅の約３／４〜４／５の範囲の長さである。また、開口部１８ｄの上下方向の幅は、ディスク挿入孔５ａの下方から平板部１８ａの下端近傍に至るまでの範囲となっている。
【００２８】
スイッチ基板２２は、図１において操作部材１４が配置される部分の後面側に配置されている。具体的には、図３において、平板部１８ａにおける開口部１８ｄの右側（Ｙ２の方向）に隣接する位置に配置されている。このスイッチ基板２２は、図３に示すように、平板状に形成されており、上述したように操作部材１４および不図示の採光板を平板部１８ａと狭持する形で当該平板部１８ａの後面側に配置されている。また、当該スイッチ基板２２は、パネル部材１８に形成された不図示のボス部にネジ止めすることで、パネル部材１８に対して固定されている。
【００２９】
図３に示すように、ボス部１８ｅ，１８ｅは、それぞれ、ディスク挿入孔５ａの左右方向両側に形成されている。また、ボス部１８ｆ，１８ｆは、平板部１８ａにおける角部１８ｇ，１８ｇから左右方向内側かつ上方に所定の間隔を隔てた位置に形成されている。ボス部１８ｅ，１８ｅ，１８ｆ，１８ｆには、それぞれ、被係合手段２０ａ，２０ａ，２０ｂ，２０ｂをパネル部材１８に固定するためのネジが螺合可能な不図示の雌ネジ部が形成されている。
【００３０】
被係合手段２０ａ，２０ｂはそれぞれ、後述する係合手段３０ａ，３０ｂとそれぞれ係合する部分となる係合片２０ｃ，２０ｄを有する略Ｌ字型をした平板状の部材である。各係合片２０ｃ，２０ｃは、それぞれ、図３に示すように、各被係合手段２０ａ，２０ａの本体部２０ｅ，２０ｅから左右方向外側に向かって突出するように形成されている。また、各係合片２０ｄ，２０ｄは、それぞれ、図３に示すように、各被係合手段２０ｂ，２０ｂの本体部２０ｆ，２０ｆから左右方向内側に向かって突出するように形成されている。４つの被係合手段２０ａ，２０ａ，２０ｂ，２０ｂは、それぞれ、パネル部材１８の後面側から、ボス部１８ｅ，１８ｅ，１８ｆ，１８ｆにネジによって固定される。具体的には、被係合手段２０ａ，２０ａ，２０ｂ，２０ｂは、それぞれ、平板部１８ａから後面側に所定の間隔を隔てた仮想平面上に配置されている。
【００３１】
次に、前面フレーム１６の構成について説明する。
【００３２】
図４に示すように、前面フレーム１６は、フレーム部材１７と、係合手段３０ａ，３０ｂと、アーム部材３２ａ，３２ｂと、から主に構成されている。
【００３３】
フレーム部材１７は、図５に示すように、ＹＺ平面と平行に形成された略長方形の形状をした後面部１７ａと、後面部１７ａの外周縁から前面側で、かつ後面部１７ａに対して垂直方向に向かって形成された４つの側面部１７ｂを備えた略箱状の部材である。
【００３４】
図５に示すように、後面部１７ａの略中央には、略四角形の形状をした開口部１７ｃが形成されている。開口部１７ｃは、略長方形の形状をした中央開口部１７ｄと、その左右両側から上方に向かって形成された２つの上方開口部１７ｅ，１７ｅと、を有している。また、後面部１７ａにおいて中央開口部１７ｄの上方かつ上方開口部１７ｅ，１７ｅの内側の領域となる上方後面部１７ｆには、ディスク挿入孔５ａから挿入および排出される音楽ディスク３を通過させる開口部１７ｇが形成されている。当該開口部１７ｇは、左右方向を長手方向とする略長方形をした細長状の開口部分となっている。
【００３５】
上方後面部１７ｆにおける開口部１７ｇの左右方向両側には、前面フレーム１７を筐体４に固定するためのネジ３６が螺合する２つのネジ孔１７ｈ，１７ｈが形成されている。また、後面部１７ａにおいて開口部１７ｃの左側および右側に相当する部分である左側後面部１７ｉおよび右側後面部１７ｊのそれぞれには、前面フレーム１７と後述する上方シャーシ４２とを固定するためのネジ３７が挿通される円形状の挿通孔１７ｋ，１７ｋが形成されている。また、各挿通孔１７ｋ，１７ｋの下方には、後述するアーム部材３２ａ，３２ｂを軸支するための円形状の円孔１７ｎ，１７ｎが形成されている。さらに、左側後面部１７ｉおよび右側後面部１７ｊにおける下端側には、後述の支持部４４ａ，４４ａが挿通する２つの開口部１７ｐ，１７ｐが形成されている。開口部１７ｐ，１７ｐは、上下方向を長手方向とする略長方形の形状を有している。
【００３６】
中央開口部１７ｄの下端であって、後面部１７ａにおける下方側の下方後面部１７ｑには、後述する下方シャーシ４４に形成された固定部４４ｅと当接して、下方シャーシ４４に前面フレーム１７を固定するための２つの固定部１７ｒ，１７ｒが形成されている。固定部１７ｒ，１７ｒは、下方向面部１７ｑの上縁部から後面側に折り曲げられ、さらに当該後面側に折り曲げられた部分の先端が上方側に折り曲げられて形成されている。２つの固定部１７ｒ，１７ｒには、ネジ３８が挿通される挿通孔１７ｒ１と、固定部４４ｅの位置決め孔４４ｅ２に嵌合される嵌合突起１７ｒ２とが形成されている。より具体的には、それぞれの固定部１７ｒの左右方向の内側に嵌合突起１７ｒ２が形成され、左右方向外側に挿通孔１７ｒ１が形成されている。嵌合突起１７ｒ２は、後面側に突出するように形成されている。
【００３７】
図５に示すように、上方後面部１７ｆにおいて開口部１７ｇが形成されている部位のやや下方における左右方向両側には、２つの被係合手段２０ａ，２０ａのうち、右側に配置される一方の被係合手段２０ａと係合する一方の係合手段３０ａが回動可能に取り付けられる取付部１７ｓが形成されている。より具体的には、取付部１７ｓは、上方後面部１７ｆにおいて開口部１７ｇが形成されている部位のやや下方における左側端面から後面側に向かって直立するように形成されている。本実施の形態では、取付部１７ｓは、図５に示すように、左右方向から見て略Ｌ型に形成されている。また、取付部１７ｓには、係合手段３０ａに設けられた軸３１ａが挿通される挿通孔１７ｓ１が形成されている。当該係合手段３０ａは、取付部１７ｓの左側（Ｙ１の方向）から挿通孔１７ｓ１に軸３１ａを挿通することにより、フレーム部材１７に取り付けられる。
【００３８】
また、上方後面部１７ｆにおいて開口部１７ｇが形成されている部位のやや下方における左右方向両側には、２つの被係合手段２０ａ，２０ａのうち、左側に配置される一方の被係合手段２０ａと係合する一方の係合手段３０ａが回動可能に取り付けられる取付部１７ｔが形成されている。より具体的には、取付部１７ｔは、上方後面部１７ｆにおいて開口部１７ｇが形成される部位のやや下方における右側端面から後面側に向かって直立するように形成されている。本実施の形態では、取付部１７ｔは、図５に示すように、左右方向から見て略Ｌ型に形成されている。また、取付部１７ｔには、係合手段３０ａに設けられた軸３１ａが挿通される挿通孔１７ｔ１が形成されている。当該係合手段３０ａは、取付部１７ｔの右側（Ｙ２の方向）から挿通孔１７ｔ１に軸３１ａを挿通することにより、フレーム部材１７に取り付けられる。
【００３９】
左側後面部１７ｊにおける開口部１７ｐの右側端面には、２つの被係合手段２０ｂ，２０ｂのうち、左側に配置される一方の被係合手段２０ｂと係合する一方の係合手段３０ｂが回動可能に取り付けられる取付部１７ｕが形成されている。より具体的には、取付部１７ｕは、左側後面部１７ｊにおいて開口部１７ｐの右側端面から後面側に向かって直立するように形成されている。本実施の形態では、取付部１７ｕは、図５に示すように、左右方向から見て略Ｌ型に形成されている。また、取付部１７ｕには、係合手段３０ｂに設けられた軸３１ｂが挿通される挿通孔１７ｕ１が形成されている。当該係合手段３０ｂは、取付部１７ｕの右側から挿通孔１７ｕ１に軸３１ｂを挿通することにより、フレーム部材１７に取り付けられる。
【００４０】
左側後面部１７ｉにおける開口部１７ｐの左側端面には、２つの被係合手段２０ｂ，２０ｂのうち、右側に配置される一方の被係合手段２０ｂと係合する一方の係合手段３０ｂが回動可能に取り付けられる取付部１７ｖが形成されている。より具体的には、取付部１７ｖは、右側後面部１７ｉにおいて開口部１７ｐの左側端面から後面側に向かって直立するように形成されている。本実施の形態では、取付部１７ｖは、図５に示すように、左右方向から見て略Ｌ型に形成されている。また、取付部１７ｖには、係合手段３０ｂに設けられた軸３１ｂが挿通される挿通孔１７ｖ１が形成されている。当該係合手段３０ｂは、取付部１７ｖの左側から挿通孔１７ｖ１に軸３１ｂを挿通することにより、フレーム部材１７に取り付けられる。
【００４１】
取付部１７ｓの左右方向外側には、図７に示すように、係合手段３０ａを所定の方向へ付勢するため、取付部１７ｓと係合手段３０ａとの間に配置されるねじりコイルバネ３３の一端が当接するとともに、係合手段３０ａと被係合手段２０ａとの係合が解除された際の係合手段３０ａの回動角度を規制するストッパ部１７ｗが形成されている。同様に、取付部１７ｔの左右方向外側にも、係合手段３０ａを所定の方向へ付勢するため、取付部１７ｔと係合手段３０ａとの間に配置されるねじりコイルバネ３３の一端が当接するとともに、係合手段３０ａの回動角度を規制するストッパ部１７ｗが形成されている。２つのストッパ部１７ｗ，１７ｗはそれぞれ、取付部１７ｓおよび取付部１７ｔから左右方向外側に突出するように形成されている。また、ストッパ部１７ｗは、図７に示すように、その下端にねじりコイルバネ３３の一端が当接し、その上端で、係合手段３０ａの回動角度を規制するように構成されている。なお、図５では、便宜上、ストッパ部１７ｗの図示を省略している。
【００４２】
また、取付部１７ｕ，１７ｖにも取付部１７ｓ，１７ｔの場合と同様、係合手段３０ｂを所定の方向へ付勢するため、取付部１７ｕ，１７ｖと係合手段３０ｂとの間に配置されるねじりコイルバネ３３の一端が当接するとともに、係合手段３０ｂと被係合手段２０ｂとの係合が解除された際の係合手段３０ｂの回動角度を規制するストッパ部１７ｘ，１７ｘが形成されている。ストッパ部１７ｘ，１７ｘはそれぞれ、取付部１７ｕおよび取付部１７ｖから左右方向外側に突出するように形成されている。なお、図５では、便宜上、ストッパ部１７ｘの図示を省略している。
【００４３】
図５に示すように、上方開口部１７ｅ，１７ｅの下端部は、左右方向外側へさらに広がるように形成されており、この部分が、固定金具体１０の一部を構成する後述のストッパアーム４９が配設されるアーム配置部１７ｙとなっている。
【００４４】
本体シャーシ４０は、図５に示すように、前面フレーム１６に固定するための固定部４２ａを有する上方シャーシ４２と、取付金具体１０を回動可能に支持する支持部４４ａを有する下方シャーシ４４と、を備えている。上方シャーシ４２と下方シャーシ４４とは、下方シャーシ４４の上方に上方シャーシ４２を重ねた状態で固定されている。なお、図４では、見やすさを優先するため、上方シャーシ４２の図示は省略されている。
【００４５】
下方シャーシ４４は、図４に示すように、ＸＹ平面と平行に形成された略矩形状の底面部４４ｂと、底面部４４ｂの左右方向両端から上方へ立設する２つの側面部４４ｃ，４４ｃとを備えている。また、２つの側面部４４ｃの後面側の端部近傍にはそれぞれ、側面部４４ｃの上端から左右方向内側へ向かう上方シャーシ４２の載置面４４ｄが計２つ形成されている。
【００４６】
図５に示すように、底面部４４ｂの前面側の端面からは、上方シャーシ４２の固定部４２ａとともに前面フレーム１６を固定するため、ＹＺ平面と平行でかつ上方に直立する２つの固定部４４ｅが左右方向に離間した状態で形成されている。それぞれの固定部４４ｅには、前面フレーム１６と下方シャーシ４４とを固定するためのネジ３８が螺合されるネジ孔４４ｅ１と、前面フレーム１６と下方シャーシ４４との位置決めを行うための位置決め孔４４ｅ２とが形成されている。より具体的には、それぞれの固定部４４ｅの左右方向内側に位置決め孔４４ｅ２が形成され、左右方向外側にネジ孔４４ｅ１が形成されている。
【００４７】
２つの側面部４４ｃ，４４ｃは、それぞれ、底面部４４ｂの前面側の端部からさらに前面側へ突出するように形成されており、この突出した部分が、取付金具体１０を回動可能に支持する支持部４４ａとなっている。図５に示すように、２つの支持部４４ａ，４４ａの先端側（すなわち、側面部４４ｃの前面側）には、それぞれ、取付金具体１０の回動の中心となる段付ネジ４６が挿通される挿通孔４４ｆが形成されている。この段付ネジ４６は、図５に示すように、頭部４６ａとネジ部４６ｂとの間に、ネジ部４６ｂの外径よりも大径に形成された円柱状の段部４６ｃを備えており、段部４６ｃが挿通孔４４ｆの内周側に配置されるようになっている。なお、段付ネジ４６のネジ部４６ｂは、取付金具体１０に螺合されるようになっている。
【００４８】
上方シャーシ４２は、図５に示すように、下方シャーシ４４の２つの側面部４４ｃ，４４ｃの左右方向の間隔とほぼ同じ間隔で、かつ、ＺＸ平面と平行に形成された２つの側面部４２ｂ，４２ｂと、後面側の端部近傍で２つの側面部４２ｂ，４２ｂの下端をつなぐように形成された連結部４２ｃとを備えている。なお、２つの側面部４２ｂ，４２ｂの間の領域に、図２に示す地図ディスク駆動機構６および音楽ディスク駆動機構７が配設される。
【００４９】
図５に示すように、２つの側面部４２ｂ，４２ｂの前面側の端部は、支持部４４ａよりも後面側に位置している。また、２つの側面部４２ｂ，４２ｂの前面側でかつ上端部近傍には、それぞれ、前面フレーム１６に固定するための固定部４２ａが形成されている。より具体的には、２つの固定部４２ａ，４２ａは、それぞれＹＺ平面と平行に形成されている。それぞれの固定部４２ａには、前面フレーム１６と上方シャーシ４２とを固定するためのネジ３７が螺合されるネジ孔４２ａ１が形成されている。また、連結部４２ｃは、ＸＹ平面と平行に形成されており、下方シャーシ４４の載置面４４ｄに載置されている。
【００５０】
本体シャーシ４０と前面フレーム１６との間には、図５に示すように、フレーム部材１７の開口部１７ｃを後面側から覆う略矩形状のカバー部材４８が設けられている。このカバー部材４８は、左右方向では、アーム配置部１７ｙよりも左右方向の内側の開口部１７ｃを覆い、上下方向では、取付部１７ｓおよび取付部１７ｔの下側でかつ、２つの固定部１７ｒ，１７ｒよりも上方を覆うようになっている。カバー部材４８の上端側には、地図ディスク駆動機構６に対して挿入および排出される地図ディスク２を通過させる開口部４８ａが形成されている。また、カバー部材４８には、開口部４８ａの下方に、後面側へ窪み、その底面が後面側へ突出した矩形状の凹部４８ｂが形成されている。なお、図４では、見やすさを考慮して、カバー部材４８の図示を省略している。
【００５１】
フレーム部材１７と本体シャーシ４０とは、上方シャーシ４２の２つの固定部４２ａ，４２ａとフレーム部材１７の後面部１７ａが当接し、かつ、下方シャーシ４４の２つの固定部４４ｅ，４４ｅとフレーム部材１７の２つの固定部１７ｒ，１７ｒが当接した状態で、４本のネジ３７，３７，３８，３８によって固定されている。この固定状態では、２つの支持部４４ａ，４４ａが２つの開口部１７ｐ，１７ｐのそれぞれに挿通されている。また、取付部１７ｓ，１７ｔ，１７ｕ，１７ｖは、左右方向において、上方シャーシ４２の２つの側面部４２ｂ，４２ｂの間に配置されている。さらに、２つの側面部４２ｂ，４２ｂのそれぞれの左右方向の外側には、各アーム配置部１７ｙが配置されている。
【００５２】
係合手段３０ａ，３０ｂは、図５等に示すように、左右方向を厚さ方向とするとともに、左右方向から見て略Ｌ形状に形成された平板状の部材である。係合手段３０ａ，３０ｂには、図５に示す状態で、Ｘ１方向の先端部に、被係合手段２０ａ，２０ｂの係合片２０ｃ，２０ｄ（図３および図６参照）に係合する係合部３０ｃが形成されている。係合部３０ｃは、図５に示す状態で、下側に突出するように形成されている。より具体的には、係合部３０ｃは、図６および図７に示すように、左右方向から見て２つの斜辺３０ａ１，３０ａ２（３０ｂ１，３０ｂ２）を有する略三角形状に形成されている。
【００５３】
軸３１ａ，３１ｂは、図５に示す状態で、係合手段３０ａ，３０ｂの下端側の先端部にカシメ等の固定手段で固定されている。軸３１ａ，３１ｂの先端側には、軸３１ａ，３１ｂを挿通孔１７ｓ１，１７ｔ１，１７ｕ１，１７ｖ１に取り付けるためのＥ形止め輪３４を固定する円環状に窪む溝部（図示省略）が形成されている。
【００５４】
ねじりコイルバネ３３は、図７等に示すように、その一端がストッパ部１７ｗ，１７ｘに当接するとともに、その他端が係合手段３０ａ，３０ｂの後面側の端面に引っ掛けられた状態で軸３１ａ，３１ｂに取り付けられている。より具体的には、ねじりコイルバネ３３は、その内周側が軸３１ａ，３１ｂに挿通された状態で軸３１ａ，３１ｂに取り付けられている。ねじりコイルバネ３３は、軸３１ａ，３１ｂを中心とした円周方向に係合手段３０ａ，３０ｂを付勢するように構成されている。また、ねじりコイルバネ３３は、軸３１ａ，３１ｂの軸方向（Ｙ方向）に圧縮可能に構成されており、係合手段３０ａ，３０ｂを軸方向に付勢するように構成されている。
【００５５】
４つのうち２つの係合手段３０ａ，３０ａは、それぞれ、取付部１７ｓ，１７ｔの左右方向外側に、残りの２つの係合手段３０ｂ，３０ｂは、それぞれ、取付部１７ｕ，１７ｖの左右方向内側に、軸３１ａおよび軸３１ｂを中心とする回動が可能となるように取り付けられている。より具体的には、係合手段３０ａ，３０ａのそれぞれに固定された軸３１ａがそれぞれ左右方向外側から内側に向かって挿通孔１７ｓ１，１７ｔ１に挿通された状態で、各係合手段３０ａ，３０ａはそれぞれ、取付部１７ｓ，１７ｔに取り付けられている。また、係合手段３０ｂ，３０ｂのそれぞれに固定された軸３１ｂがそれぞれ左右方向内側から外側に向かって挿通孔１７ｕ１，１７ｖ１に挿通された状態で、各係合手段３０ｂ，３０ｂはそれぞれ、取付部１７ｕ，１７ｖに取り付けられている。また、挿通孔１７ｓ１，１７ｔ１，１７ｕ１，１７ｖ１に挿通されて、取付部１７ｓ，１７ｔ，１７ｕ，１７ｖの左右方向内側および外側に位置する４つの軸３１ａ，３１ａ，３１ｂ，３１ｂの先端部のそれぞれには、Ｅ形止め輪３４が固定されている。この状態では、係合手段３０ａ，３０ａ，３０ｂ，３０ｂのそれぞれと、取付部１７ｓ，１７ｔ，１７ｕ，１７ｖとの間には、ねじりコイルバネ３３が軸３１ａ，３１ｂに挿通された状態、かつ、軸方向（Ｙ方向）へ圧縮された状態で配設されている。
【００５６】
係合手段３０ａ，３０ａ，３０ｂ，３０ｂがそれぞれ、取付部１７ｓ，１７ｔ，１７ｕ，１７ｖに取り付けられた状態では、係合手段３０ａ，３０ａ，３０ｂ，３０ｂは、それぞれ、図７に示すように、ねじりコイルバネ３３によって円周方向では時計方向に付勢されている。また、係合手段３０ａ，３０ａは、それぞれ、左右方向では、左右方向内側に、係合手段３０ｂ，３０ｂは、それぞれ、左右方向では、左右方向外側に付勢されている。
【００５７】
アーム部材３２ａ，３２ｂは、図５に示すように、略アーチ状の形状をしており、互いに左右対称に形成されている。具体的には、アーム部材３２ａ，３２ｂは、その両端から円弧上に最も湾曲した部分から湾曲方向と反対側に突出するよう形成された突出部３２ｃを有する板状部材３２ｄと、突出部３２ｃから当該板状部材３２ｄに対して垂直方向に突出するように設けられた軸３２ｇと、から構成されている。アーム部材３２ａおよびアーム部材３２ｂは、それぞれ、フレーム部材１７における右側側面部１７ｉに形成された円孔１７ｎおよびフレーム部材１７における左側側面部１７ｊに形成された円孔１７ｎに軸３２ｇを前面側から挿通させ、当該挿通された軸３２ｄの先端側にＥ形止め輪３９を後面側から嵌め込むことによってフレーム部材１７に対して回転可能に軸支されている。アーム部材３２ａ，３２ｂおよび４つの係合手段３０ａ，３０ａ，３０ｂ，３０ｂがフレーム部材１７に取り付けられた状態では、後述の図１０に示すように、アーム部材３２ａ，３２ｂのそれぞれの上端部３２ｅ，３２ｆが、各係合手段３０ａ，３０ａ，３０ｂ，３０ｂ接した状態となっている。
【００５８】
取付金具体１０は、ディスプレイ９と、ディスプレイ９を固定する固定部４７を有している。固定部４７の外形は、図４に示すように、扁平な直方体形状をしている。また、固定部４７には、係合手段３０ａ，３０ａ，３０ｂ，３０ｂおよびアーム部材３２ａ，３２ｂが挿通するような複数の開口部(不図示)が設けられている。また、固定部４７には、ディスク挿入孔５ａから挿入および排出される音楽ディスク３を通過させる開口部(不図示)が形成されている。ディスプレイ９は、液晶ディスプレイであり、扁平な直方体形状有しをしており、固定部４７の前方に固定されている。また、取付金具体１０には、当該取付金具体１０を前面側（Ｘ１方向側）に倒す際に（図２参照）、取付金具体１０の下端側を中心とした取付金具体１０の回動を規制して、取付金具体１０の損傷を防止するための略円弧状をした２本のストッパアーム４９，４９が取り付けられている。
【００５９】
ネジ３６および段付ネジ４６によって、本体シャーシ４０および前面フレーム１６を介して筐体４に取付金具体１０が固定された状態では、前面フレーム１６に取り付けられた４つの係合手段３０ａ，３０ａ，３０ｂ，３０ｂは、固定部４７に設けられた開口部(不図示)をそれぞれ挿通している。そのため、係合手段３０ａ，３０ｂの係合部３０ｃは、被係合部材２０ａ，２０ｂの係合片２０ｃ，２０ｄと係合可能となるように、取付金具体１０の前面から突出している。
【００６０】
前面パネル５は、被係合手段２０ａ，２０ｂ、係合手段３０ａ，３０ｂおよびアーム部材３２ａ，３２ｂ等から主に構成されるパネル着脱機構によって、筐体４に固定された取付金具体１０の前面側に係合固定されている。すなわち、取付金具体１０の前面側に突出する係合手段３０ａ，３０ｂの係合部３０ｃと、被係合部材２０ａ，２０ｂの係合片２０ｃ，２０ｄとは図６（Ｂ）に示すように係合することで、前面パネル５の上端側および下端側が筐体４に固定されている。
【００６１】
次に、前面パネル５をディスク駆動装置１から取り外すために用いる係合解除治具の構成について説明する。
【００６２】
図８は、係合解除治具５０を示す斜視図である。
【００６３】
被係合手段２０ａ，２０ｂと係合手段３０ａ，３０ｂとの係合の解除は、図８に示す係合解除治具５０によって行われる。係合解除治具５０は、図８に示すように、ケース体５１と、ケース体５１に保持された２本の突出部材の一例であるワイヤー部材５２，５２とを備えている。
【００６４】
ケース体５１は、図８に示すように、ケース本体部５３と、挿入部としてのケース先端部５４とから構成されている。ケース本体部５３は、２つのケース半体５５を図示上下方向から組み合わせて構成されている。このケース本体部５３は、上面から見て長方形状に形成された内周壁部５３ａと、内周壁部５３ａよりも大きな長方形状に形成された外周壁部５３ｂと、内周壁部５３ａと外周壁部５３ｂとによって形成される空間を図示上下方向から塞ぐ上面部５３ｃと下面部５３ｄとを備えた中空状に形成されている。内周壁部５３ａのうち長手方向に形成された２つの壁部にはそれぞれ、保持された２本のワイヤー部材５２，５２が長手方向に移動可能となるように、長孔５３ａ１が形成されている。なお、図示手前側に形成される長孔５３ａ１については、図示を省略している。
【００６５】
ケース先端部５４は、中空の直方体状に形成されており、外周壁部５３ｂのうち長手方向に形成された１つの壁部に固定されている。このケース先端部５４は、前面パネル５のディスク挿入孔５ａに挿入可能となるように形成されている。より具体的には、ケース先端部５４の長手方向の幅は、ディスク挿入孔５ａの長手方向の幅よりも小さく形成され、ケース先端部５４の高さは、ディスク挿入孔５ａの高さよりも低く形成されている。先端部５４の短手方向に形成された２つの側面５４ａ，５４ａには、それぞれ、ワイヤー部材５２の先端が通過できる大きさの円形の通過孔５４ａ１が形成されている
【００６６】
ワイヤー部材５２は、図８に示すように、基端部５２ａと、基端部５２ａに対してほぼ直角に折り曲げられた中間部５２ｂと、中間部５２ｂに対してほぼ直角でかつ基端部５２ａに対してほぼ平行に折り曲げられた先端部５２ｃとから構成されている。図８に示すように、２本のワイヤー部材５２の先端部５２ｃは、その先端をＹ方向外側に向けた状態で、ケース先端部５４の内部に配置されている。先端部５２ｃの先端は、通過孔５４ａ１を通過してケース先端部５４の外側へ突出可能となっている。２本のワイヤー部材５２，５２の中間部５２ｂは、それぞれ、２つの長孔５３ａ１に挿通され、そのほぼ中間位置が、内周壁部５３ａの内周側に露出されている。この露出された２つの中間部５２ｂの間隔を広げたり、狭めたりすることで、通過孔５４ａ１から先端部５２ｃの先端を突出させることができる。また、２本のワイヤー部材５２の基端部５２ａは、外周壁部５３ｂのうちケース先端部５４が固定されない長手方向の壁部と、この壁部に対向する内周壁部５３ａの長手方向の壁部との間に配置されている。
【００６７】
次に、前面パネル５をディスク駆動装置１から取り外す動作について説明する。
【００６８】
図９は、本発明の実施の形態にかかるディスク駆動装置１から前面パネル５を取り外す動作を説明する動作説明図であり、（Ａ）は、ディスク挿入孔５ａに係合解除治具５０を挿入し、係合解除動作を行う前の状態、（Ｂ）は、ディスク挿入孔５ａに係合解除治具５０を挿入し、係合状態を解除した状態、（Ｃ）は、筐体４から前面パネル５を取り外した状態を示す。図１０は、本発明の実施の形態にかかるディスク駆動装置１から前面パネル５を取り外すための係合解除動作における被係合手段２０ａ，２０ｂ、係合手段３０ａ，３０ｂおよびアーム部材３２ａ，３２ｂの位置関係を説明する概略図であり、（Ａ）は、被係合手段２０ａ，２０ｂと係合手段３０ａ，３０ｂとが係合した状態、（Ｂ）は、被係合手段２０ａ，２０ｂと係合手段３０ａ，３０ｂの係合が解除された状態を示す。図１１は、本発明の実施の形態にかかるディスク駆動装置１における地図ディスク２の交換動作の後半部分を説明する動作説明図であり、（Ａ）は、取付金具体１０が露出した状態、（Ｂ）は、取付金具体１０が前面側に倒れた状態を示す。
【００６９】
図１に示すディスク駆動装置１において、地図ディスク２交換する場合、前面パネル５を取り外す必要がある。前面パネル５を取り外すには、まず、図９（Ａ）に示すように、係合解除治具５０のケース先端部５４を前面パネル５のディスク挿入孔５ａに挿入する。ケース先端部５４をディスク挿入孔５ａに挿入すると、通過孔５４ａ１は、前後方向において前面パネル５とフレーム部材１７との間にくる。その状態で、図９(Ｂ)に示すように、２本ワイヤー部材５２，５２の中間部５２ｂをそれぞれ左右方向外側に向かって移動させて、２つの中間部５２ｂの間隔を広げる。これによって、ケース先端部５４の通過孔５４ａ１から２本のワイヤー部材５２，５２の先端部５２ｃ，５２ｃが突出する。なお、図９では、便宜上、係合解除治具５０のケース体５１の図示を省略している。
【００７０】
突出した２本のワイヤー部材５２，５２の先端部５２ｃ，５２ｃは、それぞれ、２つの係合手段３０ａ，３０ａの左右方向内側の側面にそれぞれ当接する。ワイヤー部材５２，５２の先端部５２ｃ，５２ｃが係合手段３０ａ，３０ａに当接した状態では、図１０（Ａ）に示すように、依然として、係合手段３０ａ，３０ｂの係合部３０ｃ，３０ｃは、被係合手段２０ａ，２０ｂの係合片２０ｃ，２０ｄに係合している。そして、さらに、２つの中間部５２ｂの間隔を広げ、ねじりコイルバネ３３によって左右方向内側に付勢された係合手段３０ａ，３０ａを左右方向外側へ押し広げる。係合手段３０ａ，３０ａが左右方向外側へ押し広げられると、上端部３２ｅにおいて当該係合手段３０ａ，３０ａの左右方向外側の面に接触していたアーム部材３２ａ，３２ｂがそれぞれ、軸３２ｇ，３２ｇを中心として左右方向外側に向かって開口するように回動し始める。係合手段３０ｂ，３０ｂは、アーム部材３２ａ，３２ｂの下端部３２ｆと接触しているため、その回動に伴い、係合手段３０ｂ，３０ｂは、ねじりコイルバネ３３の左右方向外側の付勢力に抗して左右方向内側に向かって移動する。
【００７１】
さらに、中間部５２ｂを左右方向外側へ移動させると、図１０（Ｂ）に示すように、係合手段３０ａが左右方向外側に移動して傾く。これにより、被係合部材２０ａ，２０ａの係合片２０ｃ，２０ｃから係合手段３０ａ，３０ａの係合部３０ｃ，３０ｃが外れる。これに伴い、アーム部材３２ａ，３２ｂのそれぞれが、さらに回動し、係合手段３０ｂを押圧する。すると、係合手段３０ｂが左右方向内側に移動し傾き、被係合部材２０ｂ，２０ｂの係合片２０ｄ，２０ｄから係合手段３０ｂ，３０ｂの係合部３０ｃ，３０ｃが外れる。このようにして、被係合手段２０ａ，２０ｂと係合手段３０ａ，３０ｂとによる前面パネル５の筐体４に対する固定状態が解除される。被係合手段２０ａ，２０ｂとの係合が解除された係合手段３０ａ，３０ｂは前面フレーム１７のストッパ部１７ｗ，１７ｘの上端に当接するまで、ねじりコイルバネ３３の付勢力で回動する（図７参照）。また、ねじりコイルバネ３３による左右方向の付勢力によって、係合手段３０ａおよび係合手段３０ｂのそれぞれは、被係合手段２０ａおよび被係合手段２０ｂの左右方向外側の端面に当接する。
【００７２】
図９（Ｃ）に示すように、被係合手段２０ａ，２０ｂと係合手段３０ａ，３０ｂとによる前面パネル５の筐体４に対する固定状態が解除された状態で、係合解除治具５０を前面側に引いて前面パネル５を、筐体４（より具体的には、取付金具体１０）から取り外す。以上のようにして、前面パネル５のディスク駆動装置１からの取り外し作業が完了する。
【００７３】
図９（Ｃ）に示すように、筐体４の前面側からの前面パネル５を取り外すと、図１１（Ａ）に示すように、取付金具体１０が前面側に露出する。その後、取付金具体１０を筐体４（より具体的には前面フレーム１６）に固定するネジ３６をドライバ等によって取り外す。その状態で、取付金具体１０の上端側を前面側（Ｘ１方向）に引っ張って、取付金具体１０をその下端側（より具体的には、段付ネジ４６）を中心に回転させる。取付金具体１０は、図１１（Ｂ）に示すように、前面側に倒れる。
【００７４】
取付金具体１０を前面側に倒すと、図１１（Ｂ）に示すように、前面フレーム１７およびカバー部材４８が露出する。また、カバー部材４８の開口部４８ａの奥側に地図ディスク駆動機構６のディスク挿入孔６ａが露出する。この状態で所定の操作を行って、地図ディスク２を交換する。
【００７５】
地図ディスク２を交換した後は、取付金具体１０をその下端側を中心に後面側に回転させ、ネジ３６によって、取付金具体１０を筐体４（具体的には、前面フレーム１７）に固定する。その後、前面パネル５を後面側（Ｘ２方向）に押し込んで、係合手段３０ａ，３０ｂを被係合部手段２０ａ，２０ｂに係合させる。なお、係合手段３０ａと被係合手段２０ａとの係合は、図６（Ａ）に示すように、係合手段３０ａが被係合手段２０ａに係合するまで、係合手段３０ａの２つの斜辺３０ａ１，３０ａ２のうち、Ｘ１方向側に形成された斜面３０ａ１が係合片２０ｃの上面に摺接し、その後、係合部３０ｃが係合片２０ｃの上面を乗り越えると、Ｘ２方向側に形成された斜面３０ａ２と係合片２０ｃとが係合するようになっている。なお、係合手段３０ｂも係合手段３０ａと同様にして被係合手段２０ｂに係合する。このようにして、前面パネル５のディスク駆動装置１への取り付け作業が完了する。
【００７６】
以上のように構成されたパネル着脱機構では、前面パネル５のディスク挿入孔５ａに係合解除治具５０を挿入して、ワイヤー部材５２，５２をそれぞれ左右方向外側に移動させると、係合手段３０ａ，３０ｂと被係合手段２０ａ，２０ｂとの係合を解除できるような構成となっている。そのため、前面パネル５のディスク挿入孔５ａから係合解除治具５０を挿入して、ワイヤー部材５２，５２を外方に移動させるという簡易な作業で前面パネル５を筐体４から取り外すことができる。その結果、前面パネル５の後面側に配置された地図ディスク２も容易に交換することができる。また、前面パネル５上には前面パネル５と筐体４とを接合するためのネジ等の固定手段が配置されていない。そのため、前面パネル５におけるデザイン設計上の自由度が増し、その結果、ディスク駆動装置１のデザイン上の美観が損なわれるのを防止することができる。また、パネル着脱機構も前面パネル５の後面側に配置されているため、ディスク駆動装置１のデザインの設計に影響を与えることがなく、デザイン上の美観が損なわれるのを防止することができる。
【００７７】
また、上述の実施の形態では、アーム部材３２ａ，３２ｂを配置することにより、係合手段３０ａに加えられた力を係合手段３０ｂに伝達する構成となっている。そのため、係合手段３０ａが押圧され移動すると、アーム部材３２ａ，３２ｂが回動し、係合手段３０ｂを移動させる。したがって、係合手段３０ａの移動により係合手段３０ａと被係合手段２０ａとの係合が解除されると、アーム部材３２ａ，３２ｂが回動することによって係合手段３０ｂと被係合手段２０ｂとの係合が解除される。したがって、係合手段３０ａと被係合手段２０ａおよび係合手段３０ｂと被係合手段２０ｂとの係合を同時に解除することが可能となる。
【００７８】
また、上述の実施の形態では、係合解除治具５０を挿入する挿入孔は、前面パネル５に形成された音楽ディスク３のディスク挿入孔５ａである。そのため、前面パネル５に、係合解除治具５０を挿入するため挿入孔を別途形成する必要がなくなり、前面パネル５の構成が簡素化される。また、ディスク駆動装置１のデザイン上の美観が損なわれるのを防止することができる。
【００７９】
また、上述の実施の形態では、係合手段３０ａ，３０ｂは、その軸３１ａ，３１ｂに対して周方向下方に付勢されている。したがって、前面パネル５を筐体４の後面側に押し込むと、係合手段３０ａ，３０ｂは、被係合手段２０ａ，２０ｂと摺接することによって、その付勢力に抗して周方向上方に回動し、さらに後面側に押し込むと係合手段３０ａ，３０ｂは付勢される方向に回動することで被係合手段２０ａ，２０ｂに係合する。したがって、前面パネル５を筐体４に押し込むという簡易な作業で、前面パネル５を筐体４に装着できる。
【００８０】
また、上述の実施の形態では、本体シャーシ４０を構成する下方シャーシ４４が、ディスプレイ９が固定された取付金具体１０を揺動可能に支持する支持部４４ａを備え、取付金具体１０がその下端側を中心として前面側に揺動して倒れ、地図ディスク２の交換が可能となるように構成されている。そのため、ディスプレイ９を備えている場合であっても、簡易な構成で、地図ディスク２の交換をすることができる。
【００８１】
また、上述の実施の形態では、被係合手段２０ａ，２０ｂおよび係合手段３０ａ，３０ｂは、それぞれ左右対称となるように対をなして２つずつ設けられるため、前面パネル５を安定した状態で筐体４に装着することができる。
【００８２】
以上、本発明の一実施の形態について説明したが、本発明は、上述の形態に限定されることなく、種々変形した形態にて実施可能である。
【００８３】
上述の実施の形態では、係合解除治具５０は、前面パネル５のディスク挿入孔５ａから挿入されるように構成されていたが、ディスク駆動装置１のデザイン上の美観が損なわれない程度であれば、係合解除治具５０を挿入するための挿入孔を前面パネル５に別途形成しても良い。例えば、前面パネル５の下方から係合解除治具５０を挿入し、係合部材３０ｂの係合を解除すると共に、アーム部材３２ａ，３２ｂを利用して同時に係合部材３０ａの係合を解除する構成としても良い。
【００８４】
また、上述の実施の形態では、前面パネル５に被係合手段２０ａ，２０ｂが固定され、前面フレーム１６に係合手段３０ａ，３０ｂが取り付けられていたが、前面パネル５に係合手段３０ａ，３０ｂを取り付け、前面フレーム１６に被係合手段２０ａ，２０ｂを固定するようにしても良い。また、上述した形態では、係合手段３０ａ，３０ｂが左右対称に２つずつの合計４つ設けられているが、これに限定されることなく、係合手段３０ａ，３０ｂを左右非対称に設けるようにしても良い。また、各アーム部材３２ａ，３２ｂを２つ以上の係合手段に力を伝達するような形状とすることで、５つ以上の係合手段を設けるようにしても良い。また、アーム部材３２ａ，３２ｂの形状をアーチ状を有する形状に限らず、コの字上等他の形状としても良い。
【００８５】
また、上述した形態では、係合手段３０ａ，３０ｂは、係合部３０ｃが前面パネル５に対して下方に向かって突出するように当該前面パネル５に取り付けられているが、これに限ることなく、上方に向かうように取り付けても良いし、横方向や斜め方向等他の方向に向くように取り付けても良い。この場合、被係合手段２０ａ，２０ｂの係合片２０ｃ，２０ｄを対応する位置に形成する必要がある。
【００８６】
また、上述した形態では、係合手段３０ａ，３０ｂはねじりコイルバネ３３によって付勢されているが、板バネ等他の弾性部材によって付勢するようにしても良いし、係合手段３０ａ，３０ｂを付勢せずに、当該係合手段３０ａ，３０ｂ自体を弾性を有する部材から形成するようにしても良い。また、アーム部材３２ａ，３２ｂの上端部３２ｅを係合手段３０ａ，３０ａと非接触状態としても良いし、アーム部材３２ａ，３２ｂの下端部３２ｆを係合手段３０ｂ，３０ｂと非接触状態としても良い。
【００８７】
さらに、上述の実施の形態では、取付金具体１０を回動させて、地図ディスク２を挿入するように構成されているが、取付金具体１０を筐体４の前面と平行に移動させて、地図ディスク２を挿入する構成としても良い。
【００８８】
さらに、上述の実施の形態では、被係合手段２０ａ，２０ｂは、本体部２０ｅ，２０ｆから係合片２０ｃ，２０ｄが突出する構成となっているが、これに限定することなく、例えば、本体部２０ｅ，２０ｆに溝部を有する構成とし、当該溝部に係合手段３０ａ，３０ｂを係合させるようにしても良い。
【００８９】
さらに、上述の実施の形態では、係合解除治具５０は、ワイヤー部材５２の間隔を広げることによって先端部５２ｃが突出する構成とされているが、ワイヤー部材５２の間隔を狭めることで先端部５２ｃが突出する構成としても良いし、押しボタン式にして、ボタンを押すことによって先端部５２ｃが突出する構成としても良い。
【００９０】
また、ディスク駆動装置は、音楽ディスク３の代わりに映像が記録された映像用のディスクが再生されるディスク駆動装置であっても良い。また、本発明の構成は、ディスプレイ９を備えていないディスク駆動装置やカーナビゲーション装置以外のディスク駆動装置、あるいは、磁気記録ディスクを使用するディスク駆動装置に対しても適用することができる
【産業上の利用可能性】
【００９１】
本発明のディスク駆動装置は、ステレオ機器やカーナビゲーション装置等の音響機器において利用することができる。
【図面の簡単な説明】
【００９２】
【図１】本発明の実施の形態に係るディスク駆動装置を示す斜視図である。
【図２】図１に示すディスク駆動装置において地図ディスクの交換時の状態を示す斜視図である。
【図３】図１に示すディスク駆動装置の前面パネルの構成をその裏側から見た斜視図である。
【図４】図１に示すディスク駆動装置の前面フレームの前面パネルを除く前面側の主要機構をその裏側から見た斜視図である。
【図５】本発明の実施の形態に係る本体シャーシおよび前面フレームの構成を示す斜視図である。
【図６】図３および図４中の係合手段と被係合手段との係合関係を示す斜視図であり、（Ａ）は係合前の状態示す図であり、（Ｂ）は係合後の状態を示す図である。
【図７】図４に示す係合手段とその周辺の構成を示す断面図である
【図８】本発明の実施の形態にかかる係合解除治具を示す斜視図である。
【図９】本発明の実施の形態にかかるディスク駆動装置から前面パネルを取り外す動作を説明する動作説明図であり、（Ａ）は、ディスク挿入孔に係合解除治具を挿入し、係合解除動作を行う前の状態、（Ｂ）は、ディスク挿入孔に係合解除治具を挿入し、係合を解除した状態、（Ｃ）は、筐体から前面パネルを取り外した状態を示す。
【図１０】本発明の実施の形態にかかるディスク駆動装置から前面パネルを取り外すための係合解除動作における被係合手段、係合手段およびアーム部材の位置関係を説明する概略図であり、（Ａ）は、被係合手段と係合手段が係合された状態、（Ｂ）は、被係合手段と係合手段の係合が解除した状態を示す。
【図１１】本発明の実施の形態にかかるディスク駆動装置における地図ディスクの交換動作の後半部分を説明する動作説明図であり、（Ａ）は、取付金具体が露出した状態、（Ｂ）は、取付金具体が前面側に倒れた状態を示す。
【符号の説明】
【００９３】
１…ディスク駆動装置
５…前面パネル
５ａ…ディスク挿入孔（第２のディスク口）
１６…前面フレーム
１７ｇ…開口部（第１のディスク口）
２０ａ…被係合手段（第１の被係合手段）
２０ｂ…被係合手段（第２の被係合手段）
２０ｃ…係合片(第１の係合片)
２０ｄ…係合片（第２の係合片）
３０ａ…係合手段（第１の係合手段）
３０ｂ…係合手段（第２の係合手段）
３０ｃ…係合部（第１の係合部）
３０ｄ…係合部（第２の係合部）
３２ａ，３２ｂ…アーム部材
３３…ねじりコイルバネ(付勢ばね)
５０…係合解除治具
５２…ワイヤー部材(突出部材)
５４…ケース先端部（挿入部）
【図１】
2007128612.tif 000003
【図２】
2007128612.tif 000004
【図３】
2007128612.tif 000005
【図４】
2007128612.tif 000006
【図５】
2007128612.tif 000007
【図６】
2007128612.tif 000008
【図７】
2007128612.tif 000009
【図８】
2007128612.tif 000010
【図９】
2007128612.tif 000011
【図１０】
2007128612.tif 000012
【図１１】
2007128612.tif 000013